(57)【特許請求の範囲】
【請求項１】
癌細胞を含む生体試料中のＧＳＴπの発現量が閾値より大きい場合に、上記癌細胞のタキサン系抗癌剤に対する感受性が高いと判定する判定工程を有する癌細胞のタキサン系抗癌剤感受性判定方法。
【請求項２】
上記生体試料中のＧＳＴπの発現量を測定する測定工程を有する請求項１に記載の判定方法。
【請求項３】
上記測定工程におけるＧＳＴπの発現量の測定方法として、ドットブロット法又はウェスタンブロット法を用いる請求項２に記載の判定方法。
【請求項４】
上記癌細胞が乳癌、肺癌、胃癌、大腸癌、卵巣癌、脳腫瘍、前立腺癌、皮膚癌又は白血病の癌細胞である請求項１、請求項２又は請求項３に記載の判定方法。
【請求項５】
上記癌細胞が、乳癌の癌細胞である請求項４に記載の判定方法。
【請求項６】
上記タキサン系抗癌剤が、パクリタキセル又はドセタキセルである請求項１から請求項５のいずれか１項に記載の判定方法。
【請求項７】
癌細胞を含む生体試料におけるＧＳＴπの発現量の情報を取得する機能と、
取得された情報をもとに上記発現量と閾値とを比較する機能と、
上記発現量が上記閾値より大きいことを示す比較結果が得られた場合、上記癌細胞のタキサン系抗癌剤に対する感受性が高いと判定する機能と
をコンピュータに実現させるためのプログラム。
【請求項８】
癌細胞を含む生体試料におけるＧＳＴπの発現量の情報を取得する取得部と、
閾値を記憶する記憶部と、
上記取得部によって取得された情報及び上記記憶部に記憶された閾値をもとに、上記発現量と閾値とを比較し、上記発現量が上記閾値より大きい場合、上記癌細胞のタキサン系抗癌剤に対する感受性が高いと判定する判定部と
を備える癌細胞のタキサン系抗癌剤感受性判定装置。
【発明の詳細な説明】
【技術分野】
【０００１】
本発明は、癌細胞のタキサン系抗癌剤感受性判定方法、それを実現するためのコンピュータプログラム及び装置に関する。
【背景技術】
【０００２】
癌の一般的な治療法の一つに化学療法があり、この化学療法として各種の抗癌剤投与が行われている。しかし、このような抗癌剤の有効性は、癌の種類や患者毎に大きく異なることが知られている。従って、抗癌剤の選択を誤り、効果的でない抗癌剤を投与した場合は、癌の再発可能性が高まるばかりでなく、抗癌剤の副作用により患者の体力が低下し、次に有効な別の抗癌剤を投与しても十分な効果を得られない恐れがある。このことから、個々の患者に有効な抗癌剤をその投与前に正確に特定することができるシステムの開発が切望されている。
【０００３】
従来、癌に対する抗癌剤の選定方法としては、患者から単離した癌細胞に様々な抗癌剤を接触させ、癌細胞の増殖抑制等を指標として、その癌細胞に有効と思われる抗癌剤を特定する方法が採用されてきた。しかしながら、このような試行錯誤的方法では、検査結果の再現性が不十分な場合も多いため、その検査結果が臨床治療効果に反映されないという不都合がある。また、上記感受性判定方法には、大量の癌細胞が必要となるため、患者への負担が大きいという不都合もある。
【０００４】
一方、タキサン系抗癌剤は、臨床上高く評価され、乳癌、肺癌、胃癌、頭頚部癌、卵巣癌、食道癌等に広く用いられている。その主な作用機序は、細胞分裂の際に形成される微小管に結合し、癌細胞の細胞分裂を特異的に阻害するというものである。しかしながら、上記タキサン系抗癌剤も他の抗癌剤と同様に、白血球減少等の骨髄抑制、抹消神経障害、脱毛等の重大な副作用を引き起こす恐れがある。そのため、タキサン系抗癌剤の投与対象となる癌患者、すなわち、タキサン系抗癌剤に対する感受性が高い癌を予め判断できるシステムの確立は非常に重要である。
【０００５】
そのための試みのひとつとして、患者の癌細胞における複数の細胞周期分子の発現レベル又は活性を測定することによって、その癌細胞のタキサン系抗癌剤に対する感受性を予測する方法が知られている（特許文献１参照）。また、抗癌剤の毒性を弱めることに関与していると考えられているグルタチオン-Ｓ-トランスフェラーゼπ（ＧＳＴπ）の癌組織における発現を測定し、その発現が高い場合にその癌細胞がタキサン系抗癌剤非感受性であると判定する方法が報告されている（非特許文献１参照）。
【先行技術文献】
【特許文献】
【０００６】
【特許文献１】特表２００７−５０３８０９号公報
【非特許文献】
【０００７】
【非特許文献１】Ｅｕｒ．Ｊ．Ｓｕｒｇ．Ｏｎｃｏｌ．，Ｖｏｌ．３４，Ｎｏ．７，ｐｐ．７３４−７３８，２００８
【発明の概要】
【発明が解決しようとする課題】
【０００８】
本発明の目的は、癌細胞のタキサン系抗癌剤に対する新たな感受性判定方法を提供することである。
【課題を解決するための手段】
【０００９】
そこで、本発明者は、上述のように従来はＧＳＴπが高発現している癌細胞がタキサン系抗癌剤に対する感受性が低いと考えられていたが、かかる点について検討、実験及び検証を繰り返した結果、逆にＧＳＴπが高発現している癌細胞がタキサン系抗癌剤への感受性が高くなることを見出し、本発明を完成するに至った。
【００１０】
その結果、上記課題を解決するためになされた発明は、
癌細胞を含む生体試料中のＧＳＴπの発現量が閾値より大きい場合に、上記癌細胞のタキサン系抗癌剤に対する感受性が高いと判定する判定工程を有する癌細胞のタキサン系抗癌剤感受性判定方法である。
【００１１】
本発明の判定方法は、上記生体試料中のＧＳＴπの発現量を測定する測定工程をさらに有するとよい。
【００１２】
上記測定工程におけるＧＳＴπの発現量の測定方法としては、ドットブロット法又はウェスタンブロット法が好ましい。
【００１３】
上記癌細胞としては、乳癌、肺癌、胃癌、大腸癌、卵巣癌、脳腫瘍、前立腺癌、皮膚癌又は白血病の癌細胞が好ましい。
【００１４】
上記癌細胞としては、乳癌の癌細胞が特に好ましい。
【００１５】
上記タキサン系抗癌剤としては、パクリタキセル又はドセタキセルが好ましい。
【００１６】
当該判定方法の上記判定工程は、プログラムとコンピュータとの協働によって、又は癌細胞のタキサン系抗癌剤感受性判定装置によって実現させることができる。
【００１７】
すなわち、本発明のある態様のプログラムは、
癌細胞を含む生体試料におけるＧＳＴπの発現量の情報を取得する機能と、
取得された情報をもとに上記発現量と閾値とを比較する機能と、
上記発現量が上記閾値より大きいことを示す比較結果が得られた場合、上記癌細胞のタキサン系抗癌剤に対する感受性が高いと判定する機能と
をコンピュータに実現させるためのプログラムである。
【００１８】
本発明のある態様の癌細胞のタキサン系抗癌剤感受性判定装置は、
癌細胞を含む生体試料におけるＧＳＴπの発現量の情報を取得する取得部と、
閾値を記憶する記憶部と、
上記取得部によって取得された情報及び上記記憶部に記憶された閾値をもとに、上記発現量と閾値とを比較し、上記発現量が上記閾値より大きい場合、上記癌細胞のタキサン系抗癌剤に対する感受性が高いと判定する判定部と
を備える。
【発明の効果】
【００１９】
本発明によれば、癌細胞のタキサン系抗癌剤に対する新たな感受性判定方法を提供することができる。また、本発明によれば、上記感受性判定方法を実現するためのコンピュータプログラム及び装置を提供することができる。
【００２０】
本発明の判定方法、コンピュータプログラム及び装置によれば、ＧＳＴπの発現量を閾値と比較することにより、客観的かつ簡便に癌細胞のタキサン系抗癌剤に対する感受性を判定することができる。そのため、癌患者に対して、適切で効果的なタキサン系抗癌剤による治療を行うことが可能となる。
【図面の簡単な説明】
【００２１】
【図１】本発明の実施の形態２の癌細胞のタキサン系抗癌剤感受性判定システムの概略構成図である。
【図２】図１のＣＰＵが行う各手順を示すフローチャートである。
【図３】本発明の実施の形態３の癌細胞のタキサン系抗癌剤感受性判定装置の概略構成図である。
【発明を実施するための形態】
【００２２】
以下に、本発明の実施形態を詳説する。
【００２３】
［実施の形態１］癌細胞のタキサン系抗癌剤感受性判定方法
当該癌細胞のタキサン系抗癌剤感受性判定方法は、癌細胞を含む生体試料中のＧＳＴπの発現量を測定する測定工程、及び上記ＧＳＴπの発現量が閾値よりも大きい場合に、上記癌細胞のタキサン系抗癌剤に対する感受性が高いと判定する判定工程を有する。以下、各工程について詳述する。
【００２４】
（測定工程）
当該測定工程は、癌細胞を含む生体試料中のＧＳＴπの発現量を測定する工程である。
【００２５】
上記測定工程で用いられる癌細胞を含む生体試料における癌細胞としては、悪性腫瘍を構成する細胞であれば特に制限されるものではなく、例えば乳癌、肺癌、胃癌、大腸癌、卵巣癌、脳腫瘍、前立腺癌、皮膚癌、肝臓癌、胆嚢癌、膵臓癌、白血病細胞等の癌細胞が挙げられる。これらのうち、当該判定方法により有効な判定結果が得られる観点から、乳癌、肺癌、胃癌、大腸癌、卵巣癌、脳腫瘍、前立腺癌、皮膚癌、及び白血病細胞の癌細胞が好ましく、なかでも乳癌の癌細胞が特に好ましい。
【００２６】
上記生体試料は、ヒト等の動物から採取された複数の細胞を含む試料であれば特に限定されない。この生体試料としては、具体的には、血液、血清、リンパ液、尿、乳頭分泌液及び手術や生検により被験者から採取した細胞や組織などが挙げられる。また、被検者から採取した細胞や組織を培養して得られた試料を生体試料として用いることもできる。
【００２７】
上記ＧＳＴπとは、ヒトのグルタチオン−Ｓ−トランスフェラーゼ（ＧＳＴ）ファミリーに属する酵素のうち、ＧＳＴＰ１遺伝子にコードされた分子量約２２．５ｋＤａのタンパク質である。ＧＳＴπは、還元型グルタチオン（ＧＳＨ）と抗癌剤との抱合体形成を触媒することにより、抗癌剤の毒性を弱めることに関与している。そのため、一般的にＧＳＴπが高発現している癌細胞は、ＧＳＴπが低発現している癌細胞に比べ、抗癌剤に対する耐性が高まると考えられている。しかし、当該判定方法においては、逆にＧＳＴπの発現量が上記閾値より大きい癌細胞は、タキサン系抗癌剤に対して感受性であると判定される。その判定結果は、多くの癌患者に対するタキサン系抗癌剤の治療効果を高い確率で予測するものである。
【００２８】
上記測定工程において用いられるＧＳＴπの発現量の測定方法は、ＧＳＴπタンパクの発現量、ｍＲＮＡの発現量等を測定することができる方法であれば特に限定されるものではなく、例えば、ＳＤＳポリアクリルアミド電気泳動法、２次元電気泳動法、プロテインチップによる解析法、酵素結合免疫測定法（ＥＬＩＳＡ法）、免疫蛍光法、ウエスタンブロット法、ドットブロット法、免疫沈降法、ＲＴ−ＰＣＲ法、ノーザンブロット法、ＮＡＳＢＡ法及びＤＮＡチップによる方法等が挙げられる。これらのうち、定量性、再現性、簡便さ等の観点から、ＧＳＴπタンパクの発現量の測定方法としてはウエスタンブロット法、ドットブロット法及びＥＬＩＳＡ法が好ましく、ＧＳＴπのｍＲＮＡの発現量の測定方法としてはノーザンブロット法が好ましい。なかでも、当該判定方法の正確性の観点から、ＧＳＴπタンパクの発現量の測定方法であるドットブロット法及びウエスタンブロット法がより好ましい。
【００２９】
（判定工程）
本発明の判定工程は、上記測定工程により得られた癌細胞を含む生体試料中のＧＳＴπの発現量が閾値よりも大きい場合に、上記癌細胞のタキサン系抗癌剤に対する感受性が高いと判定する工程である。
【００３０】
上記ＧＳＴπの発現量としては、ＧＳＴπタンパクの発現量、ｍＲＮＡの発現量等が挙げられる。これらの発現量は、上記測定工程により得られる。
【００３１】
上記閾値としては、癌細胞の種類、生体試料の種類、ＧＳＴπの発現量の測定方法等に応じて適切な値を適宜設定することができる。例えば、複数の癌患者から採取した生体試料中のＧＳＴπの発現量と、それぞれの癌患者の癌組織に対するタキサン系抗癌剤の治療効果、すなわち癌組織の縮小率とから閾値を算出することができる。これらのデータから閾値を設定する方法としては、例えばＲｅｃｅｉｖｅｒ  Ｏｐｅｒａｔｉｎｇ  Ｃｈａｒａｃｔｅｒｉｓｔｉｃ（ＲＯＣ）分析、中央値の算出、平均値±標準偏差の算出等の方法が挙げられる。生体試料中のＧＳＴπの発現量が設定された閾値より大きい場合には、その癌細胞はタキサン系抗癌剤感受性が高いと判定される。なお、タキサン系抗癌剤への感受性が高いとは、例えばタキサン系抗癌剤投与により腫瘍の体積が５０％以上縮小すること等をいう。但し、タキサン系抗癌剤感受性が高いと判断する基準となる腫瘍の体積の縮小率は、癌の種類等によりそれぞれ適切な値を設定する必要がある。
【００３２】
上記タキサン系抗癌剤としては、例えばパクリタキセル、ドセタキセル、アブラキサン等のタキサン環を有する化合物からなる抗癌剤が挙げられる。当該判定方法において、特に有効な判定結果を得ることができるという観点から、パクリタキセル及びドセタキセルが好ましい。
【００３３】
当該判定方法が上記測定工程及び判定工程を有していることで、上記生体試料中のＧＳＴπの発現量の測定後すぐに判定工程を実施することができるため、患者の癌細胞のタキサン系抗癌剤に対する感受性を迅速に判定することができる。
【００３４】
当該感受性判定方法は、上記実施形態に限定されず、例えば測定工程を有さず、既に測定されたデータを用いた判定工程のみでも可能であり、上述と同様の作用を奏することができる。
【００３５】
［実施の形態２］コンピュータプログラム
次に、上述した癌細胞のタキサン系抗癌剤感受性判定方法のうちの判定工程の機能をコンピュータに実現させる形態を図１及び２を用いて説明する。先ず、図１のシステム１００の構成を説明する。図１のシステム１００は、コンピュータ１と、キーボード２と、マウス３と、測定装置４と、表示装置５とを有する。コンピュータ１は、キーボード２、マウス３、測定装置４及び表示装置５のそれぞれと通信ケーブルによって接続されている。
【００３６】
コンピュータ１は、癌細胞を含む生体試料におけるＧＳＴπの発現量の情報を取得し、癌細胞のタキサン系抗癌剤に対する感受性が高いか否かを判定する装置である。コンピュータ１の構成の詳細は後述する。キーボード２及びマウス３は、医師等の使用者がＧＳＴπの発現量の情報をコンピュータ１に入力するための装置である。測定装置４は、ドットブロット法を用いてＧＳＴπの発現量を測定し、測定結果をＧＳＴπの発現量の情報としてコンピュータ１に入力する装置である。表示装置５は、コンピュータ１によって得られた判定結果をコンピュータ１から受け取って表示する装置である。
【００３７】
次に、コンピュータ１の構成を説明する。コンピュータ１は、主に入力ポート１１と、ＣＰＵ１２と、ＲＯＭ１３と、ＲＡＭ１４と、出力ポート１５とを有する。入力ポート１１は、キーボード２、マウス３及び測定装置４のそれぞれと通信ケーブルによって接続されており、ＣＰＵ１２がキーボード２、マウス３又は測定装置４から癌細胞を含む生体試料におけるＧＳＴπの発現量の情報を取得するためのインタフェイスである。
【００３８】
ＣＰＵ１２は、入力ポート１１、ＲＯＭ１３、ＲＡＭ１４及び出力ポート１５のそれぞれと通信バスによって接続されており、プログラムに含まれる機能を実現する。ＲＯＭ１３は、ＣＰＵ１２によって実現させる３つの機能を含むプログラムを記憶している。それら３つの機能は、（１）癌細胞を含む生体試料におけるＧＳＴπの発現量の情報を取得する機能、（２）取得された情報をもとにＧＳＴπの発現量と閾値とを比較する機能、及び（３）ＧＳＴπの発現量が閾値より大きいことを示す比較結果が得られた場合、癌細胞のタキサン系抗癌剤に対する感受性が高いと判定する機能である。加えて、ＲＯＭ１３は、癌細胞のタキサン系抗癌剤に対する感受性が高いか否かを判定するための上記閾値を記憶している。
【００３９】
ＲＡＭ１４は、ＣＰＵ１２によって取得された、癌細胞を含む生体試料におけるＧＳＴπの発現量の情報を記憶する。出力ポート１５は、通信ケーブルによって表示装置５と接続されており、ＣＰＵ１２が判定結果を表示装置５に出力するためのインタフェイスである。
【００４０】
次に、コンピュータ１のＣＰＵ１２の動作を図２を用いて説明する。使用者の操作によって、ＣＰＵ１２は、入力ポート１１を介して、キーボード２、マウス３又は測定装置４から、癌細胞を含む生体試料におけるＧＳＴπの発現量の情報を取得する（Ｓ１）。ＣＰＵ１２は、使用者がキーボード２又はマウス３を用いて入力したＧＳＴπの発現量の情報を受け付けることによってその情報を取得してもよいし、測定装置４からその情報を受け取ることによってその情報を取得してもよい。ＣＰＵ１２は、取得した癌細胞を含む生体試料におけるＧＳＴπの発現量の情報をＲＡＭ１４に格納する。
【００４１】
そして、ＣＰＵ１２は、ＲＡＭ１４から癌細胞を含む生体試料におけるＧＳＴπの発現量の情報を取得するとともに、ＲＯＭ１３から癌細胞のタキサン系抗癌剤に対する感受性が高いか否かを判定するための閾値を取得し、ＧＳＴπの発現量と閾値とを比較する（Ｓ２）。
【００４２】
ＣＰＵ１２は、ＧＳＴπの発現量が閾値より大きいことを示す比較結果を得た場合（Ｓ２でＹｅｓ）、癌細胞のタキサン系抗癌剤に対する感受性が高いと判定する（Ｓ３）。癌細胞のタキサン系抗癌剤に対する感受性が高いことは、タキサン系抗癌剤を投与することにより腫瘍の体積が５０％以上縮小すること等を意味する。それに対して、ＧＳＴπの発現量が閾値以下である比較結果を得た場合（Ｓ２でＮｏ）、ＣＰＵ１２は、癌細胞のタキサン系抗癌剤に対する感受性が高いか否かは不明であると判定する（Ｓ４）。ＣＰＵ１２は、判定結果を出力ポート１５を介して表示装置５に出力する。これにより、ＣＰＵ１２の動作は終了する。表示装置５は、コンピュータ１の出力ポート１５から判定結果を受け取って表示する。
【００４３】
上述の通り、ＣＰＵ１２は、癌細胞を含む生体試料におけるＧＳＴπの発現量の情報を取得し、ＧＳＴπの発現量と閾値とを比較し、発現量が閾値より大きい場合、癌細胞のタキサン系抗癌剤に対する感受性が高いと判定する。表示装置５は判定結果を表示する。したがって、使用者は、コンピュータ１を用いることにより、簡便にかつ客観的に、癌細胞のタキサン系抗癌剤に対する感受性が高いか否かを認識することができる。その結果、使用者は、癌患者に対するタキサン系抗癌剤による治療の効果を高い確率で推定することができる。
【００４４】
なお、上述した実施の形態２では、ＣＰＵ１２によって実現させる機能を含むプログラムは、ＲＯＭ１３によって記憶されている。しかしながら、そのプログラムは例えば携帯可能な記憶媒体に記憶されていて、コンピュータ１のＲＡＭ１４に格納された後にＣＰＵ１２によって用いられてもよい。したがって、そのプログラムの実施態様は、記憶媒体に記憶されること、及び、記憶媒体に記憶された状態で流通すること等を含む。
【００４５】
また、上述した実施の形態２では、図２のステップＳ１において、ＣＰＵ１２は、ＧＳＴπの発現量の情報を受動的に取得する。しかしながら、ＣＰＵ１２は、測定装置４にその情報を出力することを定期的に又は不定期に要求してその情報を能動的に取得してもよい。
【００４６】
また、上述した実施の形態２では、閾値は、ＲＯＭ１３によって記憶されている。しかしながら、閾値は、使用者がキーボード２又はマウス３を用いてコンピュータ１に入力することによって、又は測定装置４がコンピュータ１に入力することによって、ＣＰＵ１２によって取得された後にＲＯＭ１４によって記憶されてもよい。その閾値は、癌細胞の種類、生体試料の種類、及びＧＳＴπの発現量の測定方法の全部又は一部に応じて適切に決定される。例えば、閾値は、複数の癌患者から採取した生体試料中のＧＳＴπの発現量と、それぞれの癌患者の癌組織に対するタキサン系抗癌剤による治療の効果、すなわち癌組織の縮小率との相関関係に基づいて決定される。
【００４７】
また、上述した実施の形態２では、コンピュータ１は、キーボード２、マウス３、測定装置４、及び表示装置５のそれぞれと通信ケーブルによって接続されている。しかしながら、コンピュータ１は、キーボード２、マウス３、測定装置４、及び表示装置５の全部又は一部と無線によって接続されてもよい。
【００４８】
また、上述した実施の形態２では、コンピュータ１は、表示装置５と接続されているが、表示装置５の代わりに又は表示装置５とともに、スピーカ、印刷装置、携帯通信端末装置等と接続されてもよい。その場合、それらは判定結果を報知するので、使用者は、癌細胞のタキサン系抗癌剤に対する感受性が高いか否かを認識することができる。
【００４９】
また、上述した実施の形態２では、測定装置４は、ドットブロット法を用いてＧＳＴπの発現量を測定する。しかしながら、測定装置４は、ＳＤＳポリアクリルアミド電気泳動法、２次元電気泳動法、プロテインチップによる解析法、酵素結合免疫測定法（ＥＬＩＳＡ法）、免疫蛍光法、ウエスタンブロット法、免疫沈降法、ＲＴ−ＰＣＲ法、ノーザンブロット法、ＮＡＳＢＡ法又はＤＮＡチップによる方法等を用いてＧＳＴπの発現量を測定してもよい。要するに、測定装置４は、癌細胞を含む生体試料におけるＧＳＴπの発現量を測定する装置であればよい。ただし、ドットブロット法又はウエスタンブロット法は、測定結果を数値化することが容易であり、再現性に優れ、感度が比較的高く、かつ極微量の試料により測定を行うことができるので好ましい。
【００５０】
また、上述した実施の形態２のＧＳＴπの発現量は、ＧＳＴπタンパクの発現量又はｍＲＮＡの発現量等である。また、上述した実施の形態２の癌細胞は、乳癌、肺癌、胃癌、大腸癌、卵巣癌、脳腫瘍、前立腺癌、皮膚癌又は白血病等の癌細胞である。更に、上述した実施の形態２のタキサン系抗癌剤は、パクリタキセル又はドセタキセル等である。
【００５１】
［実施の形態３］癌細胞のタキサン系抗癌剤感受性判定装置
次に、癌細胞のタキサン系抗癌剤感受性判定装置を図３を用いて説明する。先ず、図３の癌細胞のタキサン系抗癌剤感受性判定装置３０の構成を説明する。図３の判定装置３０は、取得部３１と、記憶部３２と、判定部３３とを有する。取得部３１と判定部３３とは通信ケーブルによって接続されており、記憶部３２と判定部３３とは通信バスによって接続されている。図３には、表示装置５も表示されており、表示装置５は判定装置３０の判定部３３と通信ケーブルによって接続されている。
【００５２】
取得部３１は、例えばキーボード、マウス又は測定装置であって、癌細胞を含む生体試料におけるＧＳＴπの発現量の情報を取得し、取得した情報を判定部３３に出力する。取得部３１がキーボード又はマウスである場合、取得部３１は、医師等の使用者から情報を受け付けることによってその情報を取得し、その情報を判定部３３に出力する。他方、取得部３１が測定装置である場合、取得部３１は、癌細胞を含む生体試料におけるＧＳＴπの発現量を測定することによりその情報を取得し、取得したその情報を判定部３３に出力する。測定装置は、例えば実施の形態２の測定装置４である。
【００５３】
記憶部３２は、癌細胞のタキサン系抗癌剤に対する感受性が高いか否かを判定するための閾値を記憶している。例えば使用者がキーボード等の入力装置を用いて閾値を記憶部３２に格納することによって、又は測定装置４が閾値を記憶部３２に格納することによって、記憶部３２は閾値を記憶する。
【００５４】
判定部３３は、取得部３１からＧＳＴπの発現量の情報を受け取るとともに、記憶部３２から閾値を取得し、発現量と閾値とを比較し、発現量が閾値より大きい場合、癌細胞のタキサン系抗癌剤に対する感受性が高いと判定する。判定部３３は、判定結果を表示装置５に出力する。判定部３３は、専用回路によって実現されてもよいし、コンピュータによって実現されてもよい。表示装置５は、判定装置３０の判定部３３から判定結果を受け取って表示する。
【００５５】
次に、実施の形態３に係る癌細胞のタキサン系抗癌剤感受性判定装置３０の動作を説明する。先ず、取得部３１は、癌細胞を含む生体試料におけるＧＳＴπの発現量の情報を取得する。そして、判定部３３は、取得部３１からＧＳＴπの発現量の情報を受け取るとともに、記憶部３２から閾値を取得して、発現量と閾値とを比較する。
【００５６】
判定部３３は、発現量が閾値より大きいと判断した場合、癌細胞のタキサン系抗癌剤に対する感受性が高いと判定し、他方、発現量が閾値以下であると判断した場合、癌細胞のタキサン系抗癌剤に対する感受性が高いか否かは不明であると判定する。判定部３３は、判定結果を表示装置５に出力する。これにより、癌細胞のタキサン系抗癌剤感受性判定装置３０の動作は終了する。表示装置５は、判定装置３０の判定部３３から判定結果を受け取って表示する。
【００５７】
上述の通り、癌細胞のタキサン系抗癌剤感受性判定装置３０は、癌細胞を含む生体試料におけるＧＳＴπの発現量の情報を取得し、ＧＳＴπの発現量と閾値とを比較し、発現量が閾値より大きい場合、癌細胞のタキサン系抗癌剤に対する感受性が高いと判定する。表示装置５は判定結果を表示する。したがって、使用者は、癌細胞のタキサン系抗癌剤感受性判定装置３０を用いることにより、簡便にかつ客観的に、癌細胞のタキサン系抗癌剤に対する感受性が高いか否かを認識することができる。その結果、使用者は、癌患者に対するタキサン系抗癌剤による治療の効果を高い確率で推定することができる。
【００５８】
なお、上述した実施の形態３では、判定部３３は、ＧＳＴπの発現量の情報を受動的に取得する。しかしながら、取得部３１が測定装置である場合、判定部３３は、測定装置にその情報を出力することを定期的に又は不定期に要求してその情報を能動的に取得してもよい。
【００５９】
また、上述した実施の形態３の閾値は、癌細胞の種類、生体試料の種類、及びＧＳＴπの発現量の測定方法の全部又は一部に応じて適切に決定される。例えば、閾値は、複数の癌患者から採取した生体試料中のＧＳＴπの発現量と、それぞれの癌患者の癌組織に対するタキサン系抗癌剤による治療の効果、すなわち癌組織の縮小率との相関関係に基づいて決定される。
【００６０】
また、上述した実施の形態３では、取得部３１と判定部３３とは通信ケーブルによって接続されている。しかしながら、取得部３１と判定部３３とは無線によって接続されてもよい。同様に、上述した実施の形態３では、癌細胞のタキサン系抗癌剤感受性判定装置３０は表示装置５と通信ケーブルによって接続されているが、癌細胞のタキサン系抗癌剤感受性判定装置３０は表示装置５と無線によって接続されてもよい。また、癌細胞のタキサン系抗癌剤感受性判定装置３０は、表示装置５の代わりに又は表示装置５とともに、スピーカ、印刷装置、携帯通信端末装置等に接続されてもよい。その場合、それらは判定結果を報知するので、使用者は、癌細胞のタキサン系抗癌剤に対する感受性が高いか否かを認識することができる。
【００６１】
また、上述した実施の形態３のＧＳＴπの発現量は、ＧＳＴπタンパクの発現量又はｍＲＮＡの発現量等である。また、上述した実施の形態３の癌細胞は、乳癌、肺癌、胃癌、大腸癌、卵巣癌、脳腫瘍、前立腺癌、皮膚癌又は白血病等の癌細胞である。更に、上述した実施の形態３のタキサン系抗癌剤は、パクリタキセル又はドセタキセル等である。
【実施例】
【００６２】
以下、本発明を実施例によりさらに具体的に説明するが、本発明はこれらの実施例に制限されるものではない。
【００６３】
（生体試料中のＧＳＴπの発現量の測定）
［測定用生体試料の調製］
マンモトーム生検により採取した乳癌組織検体を含むマイクロチューブに、可溶化試薬１５０μＬを加え、ホモジナイザーを用いてホモジナイズした。次に、ホモジナイズした試料を、微量高速遠心機ＣＦ１５ＲＸ（日立社）を用い、４℃、１５０００ｒｐｍで５分間遠心分離した。遠心分離して得られた上清を測定用生体試料とした。なお、上記可溶化試薬の組成は、５０ｍＭ  Ｔｒｉｓ−ＨＣｌ（ｐＨ７．５）、５ｍＭ  ＥＤＴＡ（ｐＨ８．０）、５０ｍＭ  ＮａＦ、１ｍＭ  Ｎａ３ＶＯ４、０．１％  ＮＰ−４０、０．２％  ｐｒｏｔｅａｓｅ  ｉｎｈｉｂｉｔｏｒ  ｃｏｃｋｔａｉｌ（ｓｉｇｍａ社）であった。また、上記乳癌組織検体は合計１１２検体であった。
【００６４】
［ＧＳＴπの発現量の測定試薬の調製］
ＧＳＴπの発現量を測定するために、ブロッキング試薬、トリス緩衝生理食塩水（ＴＢＳ）、一次抗体試薬、二次抗体試薬及び蛍光標識試薬を調製した。それぞれの試薬の調製法を以下に示す。
【００６５】
ブロッキング試薬：
Ｂｌｏｃｋ  Ａｃｅ（粉末）（大日本住友製薬社）を、最終濃度が４％となるように超純水に溶解し、ブロッキング試薬を調製した。
【００６６】
一次抗体試薬：
ブロッキング試薬を１０倍希釈して調製したブロッキング溶液に、抗ＧＳＴπ抗体（ＢＤ  Ｔｒａｎｓｄｕｃｔｉｏｎ社）を、５ｕｇ／ｍＬとなるように溶解し、一次抗体試薬を調製した。
【００６７】
トリス緩衝生理食塩水（ＴＢＳ）：
１０×ＴＢＳ（２−Ａｍｉｎｏ−２−ｈｙｄｒｏｘｙｍｅｔｈｙｌ−１，３−ｐｒｏｐａｎｅｄｉｏｌ３０．２８ｇ、ＮａＣｌ８７．７ｇ、６Ｎ  ＨＣｌ１１０ｇを超純水に添加し、最終量を１Ｌとした溶液）を１０倍希釈して、ＴＢＳを調製した。
【００６８】
二次抗体試薬：
ＴＢＳに、ウシ血清アルブミンＢＳＡを、最終濃度が１％となるように超純水に溶解し、ＴＢＳ（１％ＢＳＡ）を調製した。得られたＴＢＳ（１％ＢＳＡ）に、Ｇｏａｔ  Ａｎｔｉ−Ｍｏｕｓｅ  ＩｇＧ（Ｈ＋Ｌ）−ＢＩＯＴ  Ｈｕｍａｎ／Ｍｏｕｓｅ（Ｓｏｕｔｈｅｒｎ  Ｂｉｏｔｅｃｈ社）を、３０ｕｇ／ｍＬとなるように溶解し、二次抗体試薬を調製した。
【００６９】
蛍光標識試薬：
上述のＴＢＳ（１％ＢＳＡ）に、Ｆｌｕｏｒｅｓｃｅｉｎ  ＳｔｒｅｐｔＡｖｉｄｉｎ（Ｖｅｃｔｏｒ社）を、１０μｇ／ｍＬとなるように溶解し、蛍光標識試薬を調製した。
【００７０】
［ＧＳＴπの発現量の測定］
フィルタープレート（Ｍｕｌｔｉ  Ｓｃｒｅｅｎ  ＨＴＳ  ＰＳＱ  Ｐｌａｔｅｓ）に、各測定用試料を１０μｇ／ｗｅｌｌ分注し、吸引により水分を除去した。その後、ブロッキング試薬を１００μＬ／ｗｅｌｌ分注し、吸引した。ブロッキング試薬を吸引後、１次抗体試薬を５０μＬ／ｗｅｌｌ分注し、すぐに吸引した。吸引後、再び１次抗体試薬を５０ｕＬ／ｗｅｌｌ分注し、２時間静置した。その後、吸引により１次抗体試薬を除去した。次に、ＴＢＳを、３００μＬ／ｗｅｌｌ分注して吸引する洗浄を４回行った。洗浄後、２次抗体試薬を５０μＬ／ｗｅｌｌ分注し、すぐに吸引した。吸引後、再び２次抗体試薬を５０ｕＬ／ｗｅｌｌ分注し、１時間静置した。その後、吸引により２次抗体試薬を除去した。次に、ＴＢＳを３００μＬ／ｗｅｌｌ分注し、吸引する洗浄を２回行った。洗浄後、蛍光標識試薬を１００μＬ／ｗｅｌｌ分注し、すぐに吸引した。次に、ＴＢＳを３００μＬ／ｗｅｌｌ分注して吸引する洗浄を４回行った後、フィルタープレートを乾燥させた。
【００７１】
乾燥後、上記フィルタープレート中の各ｗｅｌｌについて、ＩｎｆｉｎｉｔｅＦ２００（Ｔｅｃａｎ社）で蛍光強度を測定した。ここで、各測定用試料のＧＳＴπの発現量の算出は、キャリブレーターとしてＧＳＴＰ１  ｒｅｃｏｍｂｉｎａｎｔ  Ｐｒｏｔｅｉｎ（Ａｂｎｏｖａ社  Ｃａｔ  Ｎｏ．Ｈ００００２９５０−Ｐ０１）を用いて作成した検量線により行った。なお、検量線の作成は、以下の方法により行った。０ｎｇ／１００ｕＬ／ｗｅｌｌ、１０ｎｇ／１００ｕＬ／ｗｅｌｌ、３０ｎｇ／１００ｕＬ／ｗｅｌｌ、５０ｎｇ／１００ｕＬ／ｗｅｌｌの各濃度となるようにフィルタープレート上に上記ＧＳＴＰ１  ｒｅｃｏｍｂｉｎａｎｔ  Ｐｒｏｔｅｉｎを添加し、上記測定用生体試料について行ったのと同様の方法によりブロッキング、１次抗体反応、２次抗体反応及び蛍光標識試薬反応等を行い、ＩｎｆｉｎｉｔｅＦ２００を用いてそれぞれの蛍光強度を測定し検量線を作成した。
【００７２】
ここで、ＧＳＴπの発現量の閾値を６１．３ｎｇ／ｍＬとし、閾値以上を示す検体を、ＧＳＴπの発現が大きい検体であると評価した。また、閾値未満を示す検体を、ＧＳＴπの発現が小さい検体であると評価した。ここで、閾値としてはＲＯＣ分析により得られた値を用いた。
【００７３】
（画像診断によるパクリタキセル感受性及び非感受性の評価）
上記乳癌組織検体を提供した１１２人の各乳癌患者に対して、パクリタキセルによる化学療法を３ヶ月行った。各患者の腫瘍の縮小率を、画像診断により確認した。ここで、画像診断による腫瘍の体積の縮小率が５０％以上の検体を、パクリタキセルに対する感受性が高いと評価した。また、画像診断による腫瘍の体積の縮小率が５０％未満の検体を、パクリタキセルに対する感受性が低いと評価した。
【００７４】
本実施例の結果を表１に示す。表１において、「ＧＳＴ  ｈｉｇｈ」は、ＧＳＴπの発現量が閾値以上であるＧＳＴπの発現が大きい検体を示す。「ＧＳＴ  ｌｏｗ」は、ＧＳＴπの発現量が閾値未満であるＧＳＴπの発現が小さい検体を示す。「Ｓｅｎｓｉｔｉｖｅ」は、画像診断において、腫瘍の縮小率が５０％以上であり、パクリタキセルに対する感受性が高いと評価された検体を示す。「Ｒｅｓｉｓｔａｎｔ」は、画像診断において、腫瘍の縮小率が５０％未満であり、パクリタキセルに対する感受性が低いと評価された検体を示す。
【００７５】
【表１】
0005680442.tif 000002
【００７６】
表１に示す通り、画像診断においてパクリタキセルに対する感受性が高いと評価された８９検体のうち、６３検体がＧＳＴπの発現が大きい検体であることが分かる。また、「「ＧＳＴ  ｈｉｇｈ」群は、パクリタキセルに対する感受性が高い」という仮説の有意性を示すｐ−ｖａｌｕｅは０．０３８１５であった。なお、このｐ−ｖａｌｕｅ値が０．０５以下である場合に有意性があると判断される。このことから、ＧＳＴπの発現が大きい検体は、パクリタキセルに対する感受性が高い傾向が明らかである。一方、ＧＳＴπの発現が小さい検体群は、パクリタキセルに対する感受性についての一定の傾向は示していなかった。以上のことから、ＧＳＴπの発現量が大きい場合、パクリタキセルのようなタキサン系抗癌剤に対する感受性が高いと判定できることが示された。
【産業上の利用可能性】
【００７７】
本発明の癌細胞のタキサン系抗癌剤感受性判定方法、それを実現するためのプログラム、及び装置は、癌細胞のタキサン系抗癌剤に対する感受性を検査する手段として有用である。
【符号の説明】
【００７８】
１００  システム
１  コンピュータ
２  キーボード
３  マウス
４  測定装置
５  表示装置
１１  入力ポート
１２  ＣＰＵ
１３  ＲＯＭ
１４  ＲＡＭ
１５  出力ポート
３０  癌細胞のタキサン系抗癌剤感受性判定装置
３１  取得部
３２  記憶部
３３  判定部
【図１】
0005680442.tif 000003
【図２】
0005680442.tif 000004
【図３】
0005680442.tif 000005